(57)【要約】【課題】不必要にエラーレポートが印刷されるのを禁止して、用紙の削減を図ることができる通信機能を有する画像形成装置を提供する。【解決手段】原稿を読取って（ＳＰ３）、送信したときに（ＳＰ４）、通信エラーが発生すると（ＳＰ５）、エラー表示するとともにエラーリストにエラーの発生した送信内容を示す送信情報を記憶し（ＳＰ６）、タイマをスタートさせ（ＳＰ７）、通信エラーを発生した送信内容に関して所定時間内に再送信が行われてそれが成功すればエラーレポートの印刷を禁止するとともにエラーリストから対応する送信内容を示す送信情報を削除し（ＳＰ９〜ＳＰ１１）、所定時間内に再送信が実行されなければエラーレポートの印刷を実行する（ＳＰ１２，ＳＰ１３）。【選択図】図３
2007318414.tif 000002
【特許請求の範囲】
【請求項１】
通信手段と、
前記通信手段における通信エラーが発生したことを検出する通信エラー検出手段と、
前記通信エラーの発生を示すエラーレポートを発行するエラーレポート発行手段と、
前記通信エラー検出手段が前記通信エラーを検出したことに応じて、所定の時間の計時を開始する計時手段と、
前記計時手段による所定の時間が経過する前に、前記通信エラーを発生した送信に関して前記通信手段による再送信が完了したことに応じて、前記エラーレポート発行手段によるエラーレポートの発行を禁止する制御手段とを備える、通信機能を有する画像形成装置。
【請求項２】
前記制御手段は、前記計時手段が所定の時間を計時し、かつ前記通信エラーを発生した送信内容に関して前記通信手段による再送信が完了しなかったことに応じて、前記エラーレポート発行手段によってエラーレポートを発行させる、請求項１に記載の通信機能を有する画像形成装置。
【請求項３】
前記通信エラーに関する送信情報を記憶する記憶手段を含み、
前記制御手段は、前記通信エラー検出手段によって前記通信エラーの発生が検出されたことに応じて、前記送信情報を前記記憶手段に書込む、請求項１または２に記載の通信機能を有する画像形成装置。
【請求項４】
前記制御手段は、前記通信手段による再送信が完了したことに応じて、前記記憶手段から対応する送信情報を削除する、請求項３に記載の通信機能を有する画像形成装置。
【請求項５】
前記記憶手段は、前記通信エラーを発生した送信内容を記憶していて、
前記記憶手段に記憶されている通信内容を示す送信情報を表示する表示手段と、
前記表示手段に表示された送信情報を指示する指示手段とを含み、
前記制御手段は、前記指示手段によって前記送信情報が指示されたことに応じて、前記記憶手段から対応する送信内容を読出して前記通信手段によって送信させる、請求項３または４に記載の通信機能を有する画像形成装置。
【請求項６】
前記計時手段による前記所定の時間を設定するための設定手段を含む、請求項１から５のいずれかに記載の通信機能を有する画像形成装置。
【発明の詳細な説明】
【技術分野】
【０００１】
この発明は通信機能を有する画像形成装置に関し、例えば、ファクシミリのように送信中に通信エラーを発生したときに通信エラーレポートを発行するような通信機能を有する画像形成装置に関する。
【背景技術】
【０００２】
例えば、特開２００２−２３２６２５号公報（特許文献１）には、ファクシミリ装置などの通信装置において、エラーを発生したときに、そのエラー内容を判別し、スキャナによる読取りエラーや記録紙ジャムなどのようにサービスマンを呼ぶ必要があるなどの緊急性を要する場合は、エラーレポートを直ちに発行し、通信エラーなどの緊急性を要しない場合は、同じエラーが複数回発生したときにエラーレポートを出力することが記載されている。
【特許文献１】特開２００２−２３２６２５号公報（要約、図１）
【発明の開示】
【発明が解決しようとする課題】
【０００３】
特許文献１に記載された通信装置では、緊急度の高いエラーが発生した場合には、レポートを直ちに出力するため、同じ緊急度の高いエラーが発生するたびに同じようなレポートが印刷されてしまうので、用紙が無駄になってしまう。
【０００４】
そこで、この発明の目的は、不必要に通信エラーレポートが印刷されるのを禁止して、用紙の削減を図ることができる通信機能を有する画像形成装置を提供することである。
【課題を解決するための手段】
【０００５】
この発明は、通信手段と、通信手段における通信エラーが発生したことを検出する通信エラー検出手段と、通信エラーの発生を示すエラーレポートを発行するエラーレポート発行手段と、通信エラー検出手段が通信エラーを検出したことに応じて、所定の時間の計時を開始する計時手段と、計時手段による所定の時間が経過する前に、通信エラーを発生した送信に関して通信手段による再送信が完了したことに応じて、エラーレポート発行手段よるエラーレポートの発行を禁止する制御手段とを備える。
【０００６】
好ましくは、計時手段が所定の時間を計時し、かつ通信エラーを発生した送信内容に関して通信手段による再送信が完了しなかったことに応じて、エラーレポート発行手段によってエラーレポートを発行させる。
【０００７】
具体例で葉、通信エラーに関する送信情報を記憶する記憶手段を含み、制御手段は、通信エラー検出手段によって通信エラーの発生が検出されたことに応じて、送信情報を記憶手段に書込む。
【０００８】
より好ましくは、制御手段は、通信手段による再送信が完了したことに応じて、記憶手段から対応する送信情報を削除する。
【０００９】
好ましくは、記憶手段は、通信エラーを発生した送信内容を記憶していて、記憶手段に記憶されている通信内容を示す送信情報を表示する表示手段と、表示手段に表示された送信情報を指示する指示手段とを含み、制御手段は、指示手段によって送信情報が指示されたことに応じて、記憶手段から対応する送信内容を読出して通信手段によって送信させる。
【００１０】
好ましくは、計時手段による所定の時間を設定するための設定手段を含む。
【発明の効果】
【００１１】
この発明によれば、通信エラーの発生を検出したときに、所定の時間が経過する前に、通信エラーを発生した送信内容に関して再送信が完了したことに応じて、エラーレポートの発行を禁止するようにしたので、不必要にエラーレポートが印刷されることがなく、用紙の削減を図ることができる。
【発明を実施するための最良の形態】
【００１２】
図１は、この発明の一実施形態における通信機能を有する画像形成装置の一例のデジタル複合機１を示すブロック図である。図１において、デジタル複合機１は、制御手段として作動する制御部２を含み、さらに制御部２に接続されて制御される読取部３と、指示手段および設定手段として作動する操作部４と、計時手段として作動するタイマ５と、表示手段として作動する表示部６と、エラーレポート発行手段として作動する印刷部７と、通信手段として作動する通信部８と、記憶手段として作動するＨＤＤ（Ｈａｒｄ  Ｄｉｓｋ）９と、エラー検出手段として作動するエラー検出部１１とを備える。
【００１３】
読取部３は原稿を読取り、操作部４は原稿の読取りを指令するスタートスイッチやコピー枚数などをセットするテンキーなどを含む。タイマ５は、例えばソフト処理により所定の時間を計時するように構成されており、その計時時間は、例えばユーザによって操作部４を操作することで任意の時間に設定できるようになっている。
【００１４】
表示部６は印刷部数や通信エラーを発生した送信内容を示す送信情報などを表示する。印刷部７は読取部３で読取られた情報や外部から入力された情報やエラーレポートなどを印刷する。通信部８は、デジタル複合機１をファクシミリやネットワークプリンタとして機能させたときに公衆電話回線やＬＡＮ回線とのインタフェースとして機能する。ＨＤＤ９は、読取部３で読取られた送信内容と、その送信情報を記憶する。エラー検出部１１は通信部８が送信できなかったときの通信エラーを検出する。制御部２は、エラー検出部１１によって通信エラーが検出されたことに応じてタイマ５により計時を開始させる。
【００１５】
図１に示したデジタル複合機１をファクシミリとして機能させた場合に、通信エラーを発生すると、エラーリスト１０が作成される。図２はエラーリスト１０の一例を示し、ＨＤＤ９に記憶される。図２に示したエラーリスト１０は、通信エラーを発生した複数の送信内容を示す送信情報を列挙したものである。エラーリスト１０には、通信エラーを発生した複数の送信内容の日時と、送信先番号と、枚数と、文書番号とが記憶される。
【００１６】
なお、送信した送信内容の送信日時や送信先番号や枚数などを示す送信リストをＨＤＤ９に記憶するようにし、その送信リスト内にエラー項目を含めておき、通信エラ−を生じた送信内容に対応するエラー項目に×記号などを付して通信エラーの生じたことを示すようにしてもよい。
【００１７】
図３はこの発明の一実施形態における通信機能を有する画像形成装置の一例のデジタル複合機１をファクシミリとして動作させるためのフローチャートである。まず、ユーザは送信しようとする原稿を読取部３にセットし、操作部４のキーを操作して送信先の番号を入力し、スタートキーを操作する。
【００１８】
制御部２はステップ（図示ではＳＰと略称する）ＳＰ１において、読取部３に原稿がセットされているか否かを判別し、原稿がセットされていることを判別すると、ステップＳＰ２において、送信先番号が入力されてスタートキーが操作されたか否かを判別する。制御部２は、送信先が入力され、スタートキーがオンされていることを判別すると、ステップＳＰ３において、読取部３によって原稿を読取らせ、読取られた原稿の情報を送信内容としてＨＤＤ９に記憶する。制御部２は、ステップＳＰ４において、読取った送信内容を、通信部８を介して外部の公衆電話回線に送信する。
【００１９】
このとき、エラー検出部１１は、送信内容が送信されたか否かを検出しており、送信先のファクシミリが用紙切れや通信中などにより通信エラーが発生すると、その通信エラーを検出して検出信号を制御部２に与える。制御部２は、ステップＳＰ５において、エラー検出部１１の検出信号に応じて通信エラーの発生したことを判別し、ステップＳＰ６において、表示部６にエラー表示するとともに、その通信エラーを発生した送信内容を示す送信情報として、日時、送信先番号、枚数、文書番号を図２に示したエラーリスト１０に含めてＨＤＤ９に記憶する。このとき、送信したユーザのパーソナルコンピュータと通信可能にしておけば、必要に応じて、電子メールなどにより、送信したユーザに通信エラーが発生したことを通知することもできる。
【００２０】
同時に、ステップＳＰ７において、タイマ５により計時を開始させ、ステップＳＰ８において、一定時間内にリダイヤルなどにより、再送信が実行されたか否かを判別する。ユーザは、操作部４を操作することで図２に示すエラーリスト１０を表示部６に表示させ、操作部４を操作してエラーが発生した送信内容の送信情報を指示して再送信を実行する。この場合、送信内容はＨＤＤ９に記憶されているので、ＨＤＤ９から対応する送信内容を読出すことで再送信することができる。なお、送信先番号を新たに入力して原稿を読取部２に再度セットして読取りを行い、再送信を行うようにしてもよい。
【００２１】
制御部２は、ステップＳＰ８において、一定時間内に再送信が実行されたことを判別したときは、ステップＳＰ９において、再送信が成功したか否かを判別する。再送信が成功しなかったときにはステップＳＰ８に戻り、再送信が成功すれば、ステップＳＰ１０において、エラーレポートの印刷を禁止する。そして、ステップＳＰ１１において、エラーの発生した送信内容を示す送信情報をエラーリストから削除する。
【００２２】
ステップＳＰ８において、再送信が実行されなかったことを判別したときは、ステップＳＰ１２において、タイマ５によって計時されている時間がエラーの発生から一定時間を経過したか否かを判別し、経過していなければステップＳＰ８に戻る。エラーの発生から一定時間経過しても再送信が実行されなかったときには、ステップＳＰ１３において、エラーレポートの印刷を実行する。エラーレポートには、例えば、図２に示したエラーリスト１０としてＨＤＤ９に記憶されている送信した日時と、送信先番号と、枚数と、文書番号とを含む送信情報が印刷されるとともに、「通信エラーが発生しました。」のようなコメントが印刷される。
【００２３】
上述のごとく、この実施形態によれば、通信エラーが発生するとタイマ５により通信エラーが発生してから所定時間を計時し、所定時間内に通信エラーを発生した情報の再送信が実行され、それが成功したときには、印刷部７によるエラーレポートの印刷を禁止することにより、不必要に印刷される用紙の削減を図ることができる。
【００２４】
なお、再送信を実行してそれが成功したときには、エラーリスト１０から送信内容を示す送信情報を削除するようにしたので、ユーザは、エラーリスト１０を表示部６に表示すれば、再送信が正しく行えたか否かを管理することができる。そして、一定時間内に再送信が実行されなかったときに初めて、エラーレポートを発行して、ユーザに再送信を実行するように注意を促すことができる。
【００２５】
また、上述の説明では、デジタル複合機１をファクシミリとして使用している場合に、通信エラーが発生したときを例にして説明したが、これに限ることなく、通信機能を有するパーソナルコンピュータとプリンタとを含む画像形成装置をファクシミリなどとして機能させ、パーソナルコンピュータからの情報を送信先のパーソナルコンピュータに送信する場合に、通信エラーが発生したときに、エラーレポートを発行するシステムに、この発明を適用してもよい。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】この発明の一実施形態における画像形成装置の一例のデジタル複合機を示すブロック図である。
【図２】図１に示したＨＤＤに記憶されるエラーリストを示す図である
【図３】この発明の一実施形態における画像形成装置の一例のデジタル複合機をファクシミリとして動作させるためのフローチャートである。
【符号の説明】
【００２８】
１  デジタル複合機、２  制御部、３  読取部、４  操作部、５  タイマ、６  表示部、７  印刷部、８  通信部、１０  エラーリスト、１１  エラー検出部。
【図１】
2007318414.tif 000003
【図２】
2007318414.tif 000004
【図３】
2007318414.tif 000005